(57)【要約】【課題】  単純な構成でありながら、幅広い音楽の種類に対応できる複雑な表現を可能とする可動演出部を含む音響装置の提供。【解決手段】  音声入力部に入力した音声信号に対応した動作を行う可動演出部を含む音響装置であって、音声信号によって音声を再生するスピーカと、可動演出部の動作を制御する制御部と、を含み、可動演出部は、ベース部と、ベース部に固定され仮想軸線を有する固定筒と、固定筒の内側に順次挿入配置されるとともに仮想軸線に沿ってそれぞれ進退可能な複数の移動筒と、複数の移動筒のそれぞれを移動させる動作パターンの複数を記憶し、受信した選択信号に対応して動作パターンに従った移動筒の動作を与える駆動部と、を含み、制御部は、音声信号を所定のタイミングでサンプリングして得られる音声パラメータに基づいて選択信号を生成し駆動部に送出する動作パターン指示部と、を含むことを特徴とする。【選択図】図１
2018093338.tif 000002
【特許請求の範囲】
【請求項１】
音声入力部に入力した音声信号に対応した動作を行う可動演出部を含む音響装置であって、
前記音声信号によって音声を再生するスピーカと、前記可動演出部の動作を制御する制御部と、を含み、
前記可動演出部は、
ベース部と、
前記ベース部に固定され仮想軸線を有する固定筒と、
前記固定筒の内側に順次挿入配置されるとともに前記仮想軸線に沿ってそれぞれ進退可能な複数の移動筒と、
前記複数の移動筒のそれぞれを移動させる動作パターンの複数を記憶し、受信した選択信号に対応して前記動作パターンに従った前記移動筒の動作を与える駆動部と、を含み、
前記制御部は、
前記音声信号を所定のタイミングでサンプリングして得られる音声パラメータに基づいて前記選択信号を生成し前記駆動部に送出する動作パターン指示部と、を含むことを特徴とする可動演出部付き音響装置。
【請求項２】
前記音声パラメータは前記動作パターンの終了時に検出した前記音声信号の音量を含むことを特徴とする請求項１記載の可動演出部付き音響装置。
【請求項３】
前記音声パラメータは前記動作パターンの終了時の所定時間前から終了時までにおいて測定した前記音声信号のテンポを含むことを特徴とする請求項１又は２に記載の可動演出部付き音響装置。
【請求項４】
前記動作パターン指示部は、前記音量が所定の閾値未満である状態を所定時間連続して検出したときに前記移動筒のそれぞれを退避位置に戻す前記選択信号を生成することを特徴とする請求項１乃至３のうちの１つに記載の可動演出部付き音響装置。
【請求項５】
前記動作パターンの複数は、前記移動筒のストローク及び／又は進退速度を変化させたものであることを特徴とする請求項１乃至４のうちの１つに記載の可動演出部付き音響装置。
【請求項６】
前記駆動部の駆動機構は、駆動する対象となる前記移動筒を収容する前記固定筒又は他の前記移動筒のそれぞれに取り付けられていることを特徴とする請求項１乃至４のうちの１つに記載の可動演出部付き音響装置。
【発明の詳細な説明】
【技術分野】
【０００１】
本発明は、演出部を含む音響装置に関し、特に可動演出部を備える音響装置に関する。
【背景技術】
【０００２】
室内等の空間においてその雰囲気を演出する装置として、演出部を含む音響装置が提案されている。
【０００３】
例えば、特許文献１では、演出部となる発光部を含む音響装置として、スピーカのセンターキャップの表面にホログラム処理で形成した分光機能を有するランダムパターンを備え、複数の光源によって表面側から光を照射するスピーカ装置を開示している。音声信号の入力によるスピーカの上下動に合わせてセンターキャップが移動し、この移動によって虹色に光って観察されるランダムパターンが微妙に変化するとしている。また、複数の光源を順次点滅させてセンターキャップの光る場所を変化させるとしている。
【０００４】
このように演出部を含む音響装置においては、さらに、演出部の動作を音声信号に対応させることも提案されている。
【０００５】
例えば、特許文献２では、このような音響装置として、ポールピースに取り付けられて前面側に突出するライティング装置により振動部（コーン）に光を照射するスピーカを開示している。演出部としてのライティング装置は音声信号（音楽信号）の強弱によって光の強弱や色などを調節するとしている。つまり、スピーカに入力される音声信号に対応させて光の調整を行う。
【０００６】
また、特許文献３では、音声信号に対応する動作を行う演出部を含む音響装置としてイルミネーション付きスピーカを開示している。センターキャップを透明もしくは半透明の材質とし、その裏側でコーン紙とともに振動するベースに光源を取り付け、光源に接続された誘導コイルをボイスコイルに重ね巻きしている。これにより、供給されたオーディオ入力信号によって振動するボイスコイルとともに誘導コイルも振動し、誘導コイルの振動によって生じる起電力に基づく電流が光源に供給される。つまり、オーディオ入力信号の強弱に合わせて光源を点灯あるいは点滅させることができる。
【先行技術文献】
【特許文献】
【０００７】
【特許文献１】特開平１０−２３５７６号公報
【特許文献２】特開２０１６−５０７９５９号公報
【特許文献３】特開２００１−１９７５７９号公報
【発明の概要】
【発明が解決しようとする課題】
【０００８】
上記したように、演出部として発光装置を用いる場合、音声信号に対応して光の点滅などの動作を速やかに行い得て複雑な表現を可能とする。そのため、例えば音楽の音声信号を用いた場合、幅広い音楽の種類に対応した発光部による演出を容易に行い得る。ところで、演出部として可動部を含む音響装置の場合においても、幅広い音楽の種類に対応するよう複雑な表現を可能とすることが好ましい。しかし、複雑な表現を行うために可動部を複雑な構成にしてしまうと、作動音が雑音となりやすく音響装置としての性能を低下させてしまい、またコストが嵩むなどの不都合も多い。
【０００９】
本発明は、以上のような状況に鑑みてなされたものであって、その目的とするところは、単純な構成でありながら、幅広い音楽の種類に対応できる複雑な表現を可能とする可動部を演出部として含む音響装置を提供することにある。
【課題を解決するための手段】
【００１０】
本発明による可動演出部付き音響装置は、音声入力部に入力した音声信号に対応した動作を行う可動演出部を含む音響装置であって、前記音声信号によって音声を再生するスピーカと、前記可動演出部の動作を制御する制御部と、を含み、前記可動演出部は、ベース部と、前記ベース部に固定され仮想軸線を有する固定筒と、前記固定筒の内側に順次挿入配置されるとともに前記仮想軸線に沿ってそれぞれ進退可能な複数の移動筒と、前記複数の移動筒のそれぞれを移動させる動作パターンの複数を記憶し、受信した選択信号に対応して前記動作パターンに従った前記移動筒の動作を与える駆動部と、を含み、前記制御部は、前記音声信号を所定のタイミングでサンプリングして得られる音声パラメータに基づいて前記選択信号を生成し前記駆動部に送出する動作パターン指示部と、を含むことを特徴とする
【００１１】
かかる発明によれば、固定筒の内側に複数の移動筒を進退可能に順次挿入配置した単純な構成でありながら、複数の移動筒の個別の進退動作についての複数の動作パターンの組み合わせによって、幅広い音楽の種類に対応した複雑な表現を可能とする。
【００１２】
上記した発明において、前記音声パラメータは前記動作パターンの終了時に検出した前記音声信号の音量を含むことを特徴としてもよい。かかる発明によれば、音量に対応して動作パターンを選択できて、音楽の種類にも対応し得る。
【００１３】
上記した発明において、前記音声パラメータは前記動作パターンの終了時の所定時間前から終了時までにおいて測定した前記音声信号のテンポを含むことを特徴としてもよい。かかる発明によれば、テンポに対応して動作パターンを選択できて、音楽の種類にも対応し得る。
【００１４】
上記した発明において、前記動作パターン指示部は、前記音量が所定の閾値未満である状態を所定時間連続して検出したときに前記移動筒のそれぞれを退避位置に戻す前記選択信号を生成することを特徴としてもよい。かかる発明によれば、再生される音声が途切れたことに対応して可動演出部の動作を終了させることができる。
【００１５】
上記した発明において、前記動作パターンの複数は、前記移動筒のストローク及び／又は進退速度を変化させたものであることを特徴としてもよい。かかる発明によれば、進退動作という単純な動作であっても動作パターンを多数とし得る。
【００１６】
前記駆動部の駆動機構は、駆動する対象となる前記移動筒を収容する前記固定筒又は他の前記移動筒のそれぞれに取り付けられていることを特徴としてもよい。かかる発明によれば、個々の移動を単純とする動作であっても、移動筒同士の相対的な移動を合成した移動によって複雑な表現を可能とし得る。
【図面の簡単な説明】
【００１７】
【図１】本発明による１つの実施例における可動演出部付き音響装置の斜視図である。
【図２】可動演出部付き音響装置の側断面図（一部ブロック図）である。
【図３】可動演出部付き音響装置のブロック図である。
【図４】動作パターンのテーブルである。
【発明を実施するための形態】
【００１８】
本発明による１つの実施例としての可動演出部付き音響装置について、図１乃至図３を用いて説明する。
【００１９】
図１に示すように、音響装置１０は、上部の略円筒形状の固定筒１及び下部のベース部４を含むゴブレット様の本体５と、固定筒１の内部に挿入されるように配置された移動筒２と、さらに移動筒２の内部に挿入されるように配置された移動筒３と、を含む。音響装置１０は、ベース部４によって室内のテーブルの上などに載置されて、図示しないメモリ等の記憶装置に格納した音声ファイル等からの音声信号により、後述するスピーカ４２で音楽等の音声を再生し、その空間の雰囲気を演出する装置である。
【００２０】
本体５は、上記したようにベース部４を含む。ベース部４は、下部の略円錐台形とその上部の上に向けて径を広げた略逆円錐台形とを組み合わせた形状を有し、下部の円錐台形の外周には円周方向に延びる複数のスリット４１が設けられている。
【００２１】
固定筒１は、本体５のベース部４を上方に延長した部分であり、円筒形を有する。固定筒１の内側には、固定筒１の中心軸である仮想軸線Ｃに沿って上下に進退可能な略円筒形状を有する移動筒２が挿入配置されている。さらに移動筒２の内側にも仮想軸線Ｃに沿って上下に進退可能な略円筒形状を有する移動筒３が挿入配置されている。本実施例では、移動筒を２つとしているが、３つ以上としてもよい。
【００２２】
図２に示すように、本体５のベース部４の内部にはスピーカ４２が配置され、これに接続された音声入力部４３からの音声信号によって音声を再生できる。再生された音声は、周囲のスリット４１などから外部に伝達される。音声入力部４３は制御部５０にも接続されており、音声信号を送信できる。制御部５０は、さらに、移動筒２及び３の動作を制御する駆動部１１に接続される。駆動部１１は移動筒２を移動させる駆動機構１２と、移動筒３を移動させる駆動機構１３に接続される。
【００２３】
音声信号入力部４３は、例えば、音楽などの音声信号ファイルを格納し、これをデコードしアナログ変換した音声信号をスピーカ４２に送出することができる。音声信号入力部４３はまた、スピーカ４２に送出する音声信号を分配して制御部５０に送出することもできる。音声信号入力部４３は、外部端子から音声信号を入力されるようにしてもよい。
【００２４】
駆動機構１２は、ベース部４の上部に固定され、駆動部１１からの駆動信号に応じて移動筒２に仮想軸線Ｃに沿った平行移動をさせることができる。駆動機構１２は、例えば、ラックギアとピニオンギアの組み合わせによる機構、ボールねじによる機構、カム機構、クランク機構など移動筒２を仮想軸線Ｃに沿って上下に平行移動させることができる公知の機構とモータ等の駆動装置を備える。駆動機構１２は、さらに、移動筒２の平行移動についてのストロークと移動速度を調整可能なものである。つまり、モータ等の駆動装置は、例えば、モータの回転速度を調整できたり減速機等を備えたりするなどして速度調整でき、また反転可能である。
【００２５】
駆動機構１３は、移動筒２の底部に固定され、駆動部１１からの駆動信号に応じて移動筒３に仮想軸線Ｃに沿った平行移動をさせることができる。駆動機構１３も、駆動機構１２と同様の公知の機構と駆動装置を備え、移動筒３の平行移動についてのストロークと移動速度を調整可能である。駆動機構１３は、前述したように移動筒２に固定されているので、移動筒３を移動筒２に対して相対的に移動させることになり、固定筒１に対しては、移動筒２の移動と移動筒３の移動を合成した移動をさせることになる。
【００２６】
移動筒２は、その上端を固定筒１の上端と面一とするように固定筒１に収容され、この位置関係を初期位置とする。つまり、上記した平行移動により固定筒１に対して上下に進退移動できる。移動筒３もまた、その上端を移動筒２の上端と面一にするように移動筒２に収容され、この位置関係を初期位置として、移動筒２に対して上下に進退移動できる。
【００２７】
図３を参照すると、上記したように、制御部５０及びスピーカ４２はそれぞれ音声入力部４３に接続されている。制御部５０は、動作パターン指示部５１及び音声信号変換部５２を備える。
【００２８】
動作パターン指示部５１は、音声信号変換部５２から出力される音声パラメータに基づいて移動筒２及び３それぞれの動作パターンを選択し、後述する駆動信号記憶部１４に記憶されているテーブルの駆動信号を選択した動作パターンに対応させる選択信号を生成して駆動部１１に出力することができる。例えば、音声パラメータのうちの音量が大きいときに大きなストロークとなる動作パターンを選択したり、音声パラメータのうちのテンポが速いときに速い移動速度となる動作パターンを選択したりするのである。動作パターン指示部５１は、このような動作パターンを間欠的に選択して、複数の動作パターンによる移動筒２及び３の進退動作を連続させることができる。
【００２９】
音声信号変換部５２は、音声入力部４３から入力された音声信号を読み取って、所定の音声パラメータに変換することができる。音声パラメータとしては、例えば音量とテンポである。本実施例において、音声信号変換部５２は、音量検出部５２ａ及びテンポ検出部５２ｂを備え、それぞれによって検出した音量とテンポを予め定めた複数の段階のうちのどの段階であるかを判定して、この段階を示す信号を含む音声パラメータを作成できる。
【００３０】
駆動部１１は、駆動信号記憶部１４を含むとともに駆動機構１２及び１３の駆動信号を後述するテーブルから抽出してかかる動作信号に従って駆動機構１２及び１３を駆動させることができる。駆動信号記憶部１４は、移動筒２及び３それぞれを複数の動作パターンで動作（移動）させるために駆動機構１２及び１３に出力する駆動信号をそれぞれの動作パターンに対応させたテーブルとして記憶している。動作パターンとしては、例えは、移動筒２及び３をそれぞれ初期位置から所定のストロークだけ進出させ、初期位置まで戻す往復動作であり、複数のストロークと複数の移動速度との組み合わせである。
【００３１】
次に、音響装置１０の動作について、図１乃至図４を用いて説明する。
【００３２】
図２に示すように、移動筒２及び３はそれぞれ初期位置に配置されている。つまり、移動筒２はその上端を固定筒１の上端と面一とする位置に、移動筒３はその上端を移動筒２の上端と面一にする位置にそれぞれ配置される。
【００３３】
ここで、音声入力部４３から音楽などの再生信号となる音声信号がスピーカ４２に出力されると、スピーカ４２によって音楽などの音声が再生される。同時に音声信号は制御部５０にも入力される。
【００３４】
図３に示すように、制御部５０では音声信号変換部５２が音量検出部５２ａ及びテンポ検出部５２ｂによってそれぞれ音量及びテンポを逐次検出し、対応する音声パラメータを作成して動作パターン指示部５１に送出する。音量検出部５２ａ及びテンポ検出部５２ｂでは、公知の技術によって音量及びテンポを検出できる。例えば、音量検出部５２ａでは、音声信号の振幅を読み取ってこれを音量値として所定の値に変換する。また、テンポ検出部５３ｂでは、所定期間に亘って入力された音声信号の低音領域の音波の振幅の中央値を超える領域を検出し、その繰り返しによってテンポを計測することができる。ここでは、音量をＡ〜Ｈの８段階、テンポをａ〜ｃの３段階で判定し、それぞれに対応する音声パラメータを作成する。なお、音量が最も小さい段階Ａに満たない場合に音量を「０（ゼロ）」と判定し、これに対応する音声パラメータを作成する。
【００３５】
作成された音声パラメータは音声信号変換部５２から動作パターン指示部５１に送信され、動作パターンの選択に用いられる。つまり、動作パターン指示部５１では、音声パラメータに対応した動作パターンを決定し、対応する選択信号を生成する。ここで選択信号は、後述する駆動信号記憶部１４に記憶されたテーブルから駆動信号を抽出するための信号であり、決定した動作パターンに対応させることができる。生成された選択信号は、駆動部１１に送出される。
【００３６】
図４に示すように、駆動部１１では、受信した選択信号に対応する駆動信号を駆動信号記憶部１４に記憶されたテーブルから抽出する。かかるテーブルは、Ａ〜Ｈの８段階の音量に対応した１／８〜１の８段階のストローク及びａ〜ｃの３段階のテンポに対応した小、中及び大の３段階の速度の表であり、音声パラメータに対応して生成された選択信号によって、対応する駆動信号を抽出できる。つまり、駆動部１１は、音声パラメータに対応した駆動信号を抽出する。このように、駆動部１１では、受信した選択信号に基づき音量及びテンポの対応する欄をテーブルから選択し、同欄の駆動信号を抽出する。抽出された駆動信号は、駆動機構１２に送出され、駆動機構１２によって移動筒１２を動作させる。駆動機構１３についても同様であるが、駆動機構１２とは独立させて動作させるので、別のテーブルを用いるなどしてもよい。なお、テーブルのストロークである１／８〜１はそれぞれの移動筒２及び３の最大のストロークに対する距離を示す。
【００３７】
例えば、音声パラメータの音量がＣ、テンポがｂだったとする。このとき、動作パターン指示部５１では、選択信号として例えば「Ｃｂ」を生成し、これを駆動部１１に送出する。駆動部１１では選択信号「Ｃｂ」に対応するストローク「３／８」と速度「中」とに対応する駆動信号をテーブルから抽出する。この駆動信号を、駆動機構１２又は１３に送出し、選択された動作パターンで移動筒２又は３を動作させるのである。
【００３８】
なお、動作パターン指示部５１は、駆動機構１２及び１３のうち対応する移動筒が初期位置にあるものについての動作パターンを決定して選択信号を送出するが、両方とも初期位置にある場合は移動筒２を優先して動作パターンを決定し選択信号を送出するものとする。駆動部１１は受信した選択信号に従い、それぞれ駆動機構１２及び１３によって移動筒２及び移動筒３を進退動作させる。なお、音声パラメータが音量「０」を示す場合、動作パターン指示部５１では選択信号を生成しない。
【００３９】
これにより、図１に示すように、移動筒２及び移動筒３は動作パターン指示部５１で決定されたストロークと移動速度の進退動作をする。つまり、移動筒２及び３はそれぞれ仮想軸線Ｃに沿って上下に平行移動し、その先端を固定筒１及び移動筒２の先端より所定のストロークとなるまで突出させて初期位置に戻る。
【００４０】
動作パターン指示部５１は、移動筒２及び３のそれぞれが進退動作を終えて初期位置に戻ったときに次の動作パターンを決定して、選択信号を送出する。かかる選択信号を受信した駆動部１１は、上記と同様に駆動信号を抽出して対応する駆動機構１２又は１３に送出する。これにより、間欠的に選択した動作パターンの複数によって移動筒２及び３の進退動作をそれぞれ連続させることができる。
【００４１】
ここで、制御部５０において、音量については移動筒２及び３の進退動作の完了時に、テンポについてはかかる進退動作の完了時より所定時間前から音声信号をサンプリングして音声信号変換部５２によって音量及びテンポを検出する。これにより、上記したように移動筒２及び３のそれぞれが進退動作を終えて初期位置に戻ったときに次の動作パターンを決定することができる。なお、音量については、進退動作の完了時より所定時間前から音声信号をサンプリングしてその平均値を用いるなどしてもよい。
【００４２】
上記したように、動作パターン指示部５１は、音声パラメータが音量「０（ゼロ）」を示す場合には選択信号の生成は行わないが、例えば１秒間などの所定期間、連続して音声パラメータが「０」であり、移動筒２又は３が動作中である場合、これを退避位置である初期位置に戻す選択信号を送出する。つまり、スピーカ４２で再生する音声が途切れたことに対応して移動筒２及び３の動作を終了するのである。
【００４３】
以上のように、音響装置１０によれば、スピーカ４２で音声を再生しながらその元となる音声信号に基づいて移動筒２及び３の動作パターンをそれぞれ決定し、進退動作させることができる。つまり、再生する音声及びその音声信号に対応した移動筒２及び３の動作を可能とする。このように、音響装置１０の可動演出部は、固定筒１、移動筒２及び移動筒３を含み、これらの動作による相対位置の変化によって音声信号に対応した演出を行い得る。
【００４４】
ここで、移動筒２及び３は仮想軸線Ｃに沿って進退動作するだけの単純な構成でありながら、その進退動作を音声に対応した複数の動作パターンから選択されたものとしている。また、固定筒１に対し進退移動する移動筒２と、移動筒２に対し進退移動する移動筒３との組み合わせにより、その動作パターンを複雑なものとし得る。つまり、音声信号に対応した動作を行う移動筒２及び移動筒３を含む可動演出部によって、幅広い音楽の種類に対応できる複雑な表現を可能とするのである。
【００４５】
特に、移動筒２及び３の進退動作はそのストロークや移動速度を変化させた複数の動作パターンから選択されるので、進退動作という単純な動作であってもその動作パターンを多数とできる。また、音量によってストロークを変化させ、テンポによって進退速度を変化させるので、再生される音楽の種類に対応した表現を容易に行うことができる。
【００４６】
なお、音響装置１０は、さらに音声信号に対応して明るさや色を変化させるＬＥＤなどの照明を備えていると好ましい。例えば、移動筒２及び３を透明な素材によって形成し、ベース部４にＬＥＤを取り付けて、進退動作する移動筒２や３を照らすのである。固定筒１、移動筒２及び３を透明な素材によって形成した場合、さらにマジックミラーの如く内部の光の透過度を調整するように金属箔を蒸着させた、いわゆるハーフ蒸着を施してもよい。
【００４７】
また、上記した実施例では、本体５をゴブレット様とし、上面視で円形としたが、この形状を変えることもできる。例えば、固定筒１、移動筒２及び３は、その先端側を広げたらっぱ状の形状としたり、上面視で多角形にしたり、文字や記号の外周を象ったものとしたりすることもできる。
【００４８】
さらに、音響装置１０は、音声入力部４３にマイクを取り付けて、外部の音声に基づいて可動演出部の動作を決定するようにすることもできる。
【００４９】
音響装置１０は、また、弾球遊技機や回胴式遊技機、その他のゲーム機などの演出装置として用いたり、看板やイルミネーションとして用いたりすることもできる。
【００５０】
ここまで本発明による代表的実施例及びこれに基づく改変例を説明したが、本発明は必ずしもこれに限定されるものではなく、当業者であれば、本発明の主旨又は添付した請求項の範囲を逸脱することなく種々の代替実施例及び改変例を見出すことができるであろう。
【符号の説明】
【００５１】
１  固定筒
２  移動筒
３  移動筒
１０  音響装置
【図１】
2018093338.tif 000003
【図２】
2018093338.tif 000004
【図３】
2018093338.tif 000005
【図４】
2018093338.tif 000006